(57)【特許請求の範囲】
【請求項１】
個々に制御可能な少なくとも第１の光源群および第２の光源群として配置された複数の光源と、
前記第１の光源群からの光を収集し、前記収集した光を複数の光源ビームに変換する複数の集光手段と、
前記複数の光源および前記複数の集光手段は前記光源ビームが射出されるハウジングに配置され、前記ハウジングは拡散カバーを備え、前記拡散カバーは、
前記第２の光源群が生成した光を受け入れ、かつ前記受け入れた光を拡散させる少なくとも１つの拡散領域を備え、かつ
少なくとも前記複数の光源ビームの一部が拡散することなく通過する少なくとも１つの非拡散領域を備え、
入力部および出力部を備えており、前記入力部において前記第２の光源群が生成した光を受け入れ、前記光源ビームの少なくとも２つの間の領域においておよび前記少なくとも１つの拡散領域において前記受け入れた光を出すように構成された前記出力部に、前記受け入れた光を伝達する少なくとも１つの導光板と、を備え、
前記導光板は、後方に突き出る複数の突起（２２０）と、導光板の円盤面にほぼ沿う方向に角を成す反射面（２２２）を備え、
前記照射装置はプロセッサおよびメモリを含む制御ユニットを備え、前記第１の光源群及び前記第２の光源群は前記制御ユニットに接続されており、
前記照射装置は第１の目標色を示す入力信号に基づいて前記第１の光源群および前記第２の光源群を個々に制御するように構成される制御手段を備えていることを特徴とする、照射装置。
【請求項２】
前記拡散領域の少なくとも１つは少なくとも２つの非拡散領域の間に配置されていることを特徴とする、請求項１に記載の照射装置。
【請求項３】
前記第２の光源群の少なくとも１つは前記第１の光源群の少なくとも２つの間に配置されていることを特徴とする請求項１に記載の照射装置。
【請求項４】
前記制御手段は、前記第１の目標色に基づいて前記第２の光源群を制御するように構成されていることを特徴とする、請求項１に記載の照射装置。
【請求項５】
前記制御手段は、第２の目標色を示す前記入力信号に基づいて、前記第２の光源群を制御するように構成されていることを特徴とする、請求項１に記載の照射装置。
【請求項６】
前記拡散カバーの少なくとも一部が前記ハウジングから突出していることを特徴とする請求項１に記載の照射装置。
【請求項７】
少なくとも１つの非拡散領域が前記集光手段上に配置された透明領域であることを特徴とする、請求項１に記載の照射装置。
【請求項８】
少なくとも１つの非拡散領域が前記集光手段上に配置された開口部であることを特徴とする、請求項１に記載の照射装置。
【請求項９】
ズームレンズを備え、前記ズームレンズは前記集光手段に関して可動し、かつ前記光源ビームの少なくとも１つの分岐を変えるように構成されることを特徴とする、請求項１に記載の照射装置。
【請求項１０】
可動ヘッド照明器具であって、前記可動ヘッド照明器具は、
ベースと、
前記ベースに回転自在に接続されているヨークと、
前記ヨークに回転自在に接続されているヘッドと、を備えており、
前記ヘッドが、
少なくとも第１の光源群および第２の光源群に配置された複数の光源を備え、
前記第１の光源群および前記第２の光源群は個々に制御可能であり、
複数の集光手段を備え、
前記複数の集光手段は第１の光源群からの光を収集しかつ前記収集された光を複数の光源ビームに変換し、
前記複数の光源および複数の集光手段は前記光源ビームが放出されるハウジングに配置され、前記ハウジングは拡散カバーを含み、さらに前記拡散カバーは少なくとも１つの拡散領域を備え、前記拡散領域は前記第２の光源群が生成した光を受けかつ前記受けた光を拡散することを特徴とし、かつ
少なくとも前記複数の光源ビームの一部が拡散することなく通過する少なくとも１つの非拡散領域を備え、
前記照射装置は前記第１の光源群および前記第２の光源群を個々に制御するように構成された制御手段を備え、かつ前記制御手段は第１の目標色を示す入力信号に基づいて前記第１の光源群を制御するように構成されていることを特徴とする、可動ヘッド照明器具。
【請求項１１】
照射装置を制御する方法であって、前記方法は
少なくとも第１の光源群および第２の光源群において複数の光源を配置するステップと、
前記第１の光源群からの光を収集し、前記収集した光を複数の光源ビームに変換する複数の集光手段を構成することによって前記複数の光源ビームを生成するステップと、
前記光源ビームのうち少なくとも２つの間で拡散手段を提供することによって、かつ前記拡散手段を前記第２の光源群が生成した光を受け、かつ前記受けた光を拡散するように構成することによって前記光源ビームの少なくとも２つの間における領域を照射するステップと、を含み、
前記光源ビームの少なくとも２つの間における領域を照射する前記ステップは、導光板を用いることにより、前記第２の光源群が生成した光を前記光源ビームの少なくとも２つの間における領域に導く前記ステップを含み、
前記導光板は後方に突出した複数の突起および導光板の円盤面にほぼ沿う方向に角をなす反射面を備え、
前記照射装置はプロセッサおよびメモリを含む制御ユニットを備え、前記第１の光源群および前記第２の光源群は前記制御ユニットに接続されており、
前記第１の目標色に基づく第１の光源群を制御するステップと、
前記第２の目標色に基づく第２の光源群を制御するステップと、を含むことを特徴とする、照射装置を制御する方法。
【発明の詳細な説明】
【技術分野】
【０００１】
本発明は、ハウジングに配置された複数の光源および複数の集光手段を備える照射装置に関する。複数の集光手段は、少なくとも１つの光源からの光を収集し、収集した光を複数の光源ビームに変換し、その光源ビームがハウジングから射出される。
【背景技術】
【０００２】
生演奏ショー、テレビ番組、スポーツイベントに関連する種々の照明効果およびムード照明を作り出すため、または構造上の設備の一部として、種々の効果を生み出す照明器具が娯楽産業においてますます使用されてきている。
【０００３】
娯楽業界の照明器具は、典型的には、ビーム幅および広がりを有する光ビームを生成し、例えば、配光が均一の比較的幅広い光ビームを生成するウォッシュまたはフラッド照明器具でもよいし、ターゲット表面にイメージを投影するように構成された輪郭照明器具でもよい。この種の器具は、各ショーまたは各設定においてますます使用される傾向があり、結果として、その産業分野において、またはテレビ視聴者にますます認知されてきている。照明器具は、通常、照明器具それ自体から一定距離離れた位置に照明効果を生み出すため、興味をそそられず、外観の美観に優れていない。この結果、器具の製造業者は、外観の関心を高めるために、美的デザインを考慮した器具の提供を試みている。しかしながら、これは非常に困難である、というのは、通常、器具のハウジングが、例えば、光学、力学、エレクトロニクス、冷却などの、器具の技術的な指定事項により規定された物理的要件に応じて制限されるからである。
【０００４】
単一光源の代わりに複数のＬＥＤを使用する場合に、ＬＥＤ構成要素は光源として、最大の照明光の外観を変化させてきた。これは、一般、国内、工業、娯楽などの全ての照明産業において暗に認識されている。最も明確な変化は、現在では全ての複数の光源が観察者から視認され、より広い領域から光が出ることである。現在では、大抵のＬＥＤ器具は可視ＬＥＤを備えており、一部の顧客は複数の光点の視認を好まない。ドット状の「見世物」は、ハウジングから光を出す前に色を混合する照明器具に加えて、空中または壁において色を混合する照明器具にも見受けられる。光源からの極端な光量による粗悪な「見世物」の外観を回避するために、均一性の向上の代わりに、光の放出さえも要求される。
【発明の概要】
【発明が解決しようとする課題】
【０００５】
本発明の目的は、先行技術に関する前述の制限を解決することである。これは、独立クレームに記述する照射装置および方法により達成される。従属クレームは本発明の可能な実施形態を記述する。本発明の利点および恩恵は、本発明の詳細な説明に記述される。
【図面の簡単な説明】
【０００６】
【図１】図１ａおよび図１ｂは先行技術の照射装置を示す図である。
【図２】図２ａ〜図２ｄは本発明に係る照射装置の実施形態を示す図である。
【図３】図３ａ〜図３ｄは本発明に係る照射装置の別の実施形態を示す図である。
【図４】図４は図３ａ〜図３ｄに示す照射装置の別の実施形態を示す図である。
【図５】図５は本発明に係る照射装置の別の実施形態を示す図である。
【図６】図６ａおよび図６ｂは本発明に係る照射装置に用いられ得る導光板の可能な実施形態を示す図である。
【図７】図７は本発明に係る照射装置を示す構造ブロック図である。
【発明を実施するための形態】
【０００７】
本発明は、光ビームを生成する複数のＬＥＤを含む可動ヘッド照明器具であると考慮して記述される。ただし、本発明が、例えば、放電ランプ、ＯＬＥＤ、プラズマ源、ハロゲン源、蛍光光源、および／またはそれらの組み合わせなどの任意の種類の光源を用いた照射装置に関連することを当業者は理解する。図示した実施形態は簡易化され、正確な実施形態を示すよりもむしろ本発明の原理を示すことが理解される。それ故、本発明が複数の異なる方法で具体化され得、示す構成要素に加えてさらなる構成要素を備え得ることを当業者は理解する。
【０００８】
図１ａおよび図１ｂは先行技術に係る照射装置を示す。図１ａは斜視図であり、図１ｂは分解図である。照射装置は可動ヘッド照明器具１０１であり、ベース１０３、ベースに回転自在に接続されているヨーク１０５、およびヨークに回転自在に接続されているヘッド１０７を備える。
【０００９】
図示した実施形態では、ヘッドは、ヘッドハウジング１１１に配置された複数の光源および複数の集光手段１０９を備える。集光手段は、光源からの光を収集し、収集した光を複数の光源ビーム１１３（１つのみを示す）に変換し、これがハウジングから射出される。
【００１０】
図示した実施形態では、ヘッドハウジング１０７は「バケツ」型のヘッドハウジング１１１であり、（ヘッドの後側から視認される）表示部１１５、メインＰＣＢ１１７（プリント基板）、ファン１１９、ヒートシンク１２１、ＬＥＤ  ＰＣＢ１２３、およびレンズ組立体が積層されている。レンズ組立体はレンズホルダ１２５および集光手段１０９を含むレンズアレイを備える。ヘッドは、２個の傾斜ベアリング１２７によりヨークに回転自在に接続されており、そしてヨーク１０５に支持されている。傾斜モータ１２９は、傾斜ベアリング１２７の１つに接続されている傾斜ベルト１３１を手段としてヘッドを回転するように構成されている。ヨークは、傾斜ベアリング、傾斜モータ、パンモータおよび全ベアリングが配置されたヨークフレーム１３４に取り付けられた、２つの噛み合ったヨーク構造部１３２を備える。ＬＥＤ  ＰＣＢ１２３は光を出す複数のＬＥＤを備えており、レンズアレイの集光手段１０９と協働して複数の光源ビームを生成する。メインＰＣＢは、照射装置に関わる業界で周知の方法でＬＥＤを制御する制御回路および駆動回路（不図示）を備える。メインＰＣＢは、ヘッドハウジング１１１における複数の穴を通り延伸する複数のスイッチ（不図示）をさらに備える。スイッチおよび表示部はユーザインターフェースとして機能し、これにより、ユーザが可動ヘッド照明器具と交信可能になる。
【００１１】
ヨークは、ベース１０３に回転自在に接続されている全ベアリング１３３に接続されている。パンモータ１３５は、全ベアリング１３３に接続されているパンベルト１３７を手段として、ヨークを回転するように構成されている。ベースは、娯楽照明に関わる業界で周知のＤＭＸ信号用の５ピンＸＬＲオスコネクタ１３９およびメスコネクタ１４１、入力コネクタ１４３および出力コネクタ１４５、電源ＰＣＢ（不図示）、およびファン（不図示）を備える。ファンは通気口１４７を通じてベース内に空気を送り込む。
【００１２】
この先行技術の照射装置は、広く用いられる光源として周知の従来のＬＥＤ構成要素の導入のように、単一光源の代わりに複数のＬＥＤを使用する。ただし、このような照射装置は、ここで複数の光源が観察者に視認され、より広い領域から光が出る場合には、その外観を変化させる。照明光が単色ＬＥＤによる色混合バージョンである場合には、用いられる全てのＬＥＤ色が視認される。しかしながら、一部の顧客は複数の光点の外観を好まない。光源からの極端な光量による粗悪な外観「見世物」を回避するために、均一性の向上の代わりに、光の放出さえも要求される。
【００１３】
図１ａおよび図１ｂに示す照射装置は先行技術の照射に関わる派生装置の単なる例であり、既存の複数の製造業者により、複数の種々の実施形態が提供されることを当業者は理解する。
【００１４】
図２ａ〜図２ｄに、本発明に係る照射装置の簡易化された実施形態を示す。図２ａは上面図であり、図２ｂは導光板２１３および集光手段２０９を取り外した上面図である。図２ｃおよび図２ｂは、それぞれ、線Ａ−Ａおよび線Ｂ−Ｂに沿う断面図である。
【００１５】
照射装置２０１は、少なくとも第１の光源群２０３（白い四角で示す）、および第２の光源群２０５（黒い四角で示す）に配置された複数の光源を備える。光源はＰＣＢ２０７（プリント基板）に取り付けられており、光源の２つの群は、例えば、照明業界で周知の方法により、コントローラ（不図示）を用いて個々に制御され得る。それ故コントローラは、個々に制御され得る少なくとも２つの個々の光源として、光源の２つの群を処理するように構成される。ただし、照射装置もまた、光源の各群を、これもまた個々に制御され得る複数の下位群に分割するように構成され得、各単一光源を個々に制御可能なことを当業者は理解する。複数の集光手段２０９が第１の光源群２０３の上方および周囲に配置され、第１の光源群からの光を収集し、収集した光を複数の光源ビーム２１１に変換するように構成されている。集光手段２０９は、光源からの光を収集し、その光を光ビームに変換可能な任意の光学的部品として具体化され得、例えば、光学レンズ、光混合器、ＴＩＲレンズなどでもよい。図示した実施形態では、集光手段２０９は、先行技術で周知のＴＩＲレンズとして具体化され、ＴＩＲレンズが、光源の光出力および光源ビーム２１１の前述の光学的特性に応じて設計され得ることを当業者は理解する。
【００１６】
ＰＣＢ２０７の上方には導光板２１３が配置される。導光板２１３は入力部２１７および出力部２１９を備える。導光板は、第２の光源群２０５からの光を入力部２１７において受け入れ、受け入れた光を、光源ビーム２１１の少なくとも２つの間の領域２１８からそれを出すように構成された出力部２１９に導く。光ビーム２１１は、照射装置までの距離が長い場合には１つの大きな光ビームに結合する。少なくとも２つの光源ビーム間の領域は、光ビーム両方の少なくとも一部を遮断する直線上に位置する、光源ビーム上方から視認できる全ての点として規定され得る。それ故、光ビーム両方の少なくとも一部を遮断する多くの直線、および２つの光源ビーム間の領域が面を構成することが理解される。さらに、上方から観察する場合に、この領域が光源間に見える限り、そこが光源下方に物理的に位置し得ることが理解される。
【００１７】
導光板２１３は固体透明材料として具体化され、入力部に入る光線は、光線が導光板から出て結合する出力部において内部反射する。この具体例では、導光板２１３には集光手段が配置される複数の開口が形成され、そこから後方に突き出る複数の突起２２０を備える円盤状の導光板として形成される。突起は、第２の光源群２０５の上方において嵌め込まれるように構成され、入力部は突起の底面に位置する。出力部は円盤状の導光板の前部領域を構成する。入力部に入る光は、最初に、突起を通り内部反射し、その後、円盤面にほぼ沿う方向において、角を成す反射面２２２に反射する。
【００１８】
例えば、図２ｃに示すように、第２の光源群に属する光源２０５ａは複数の光線（細い実線に示す）を出す。光線は、入力部２１７ａから導光板２１３に入り、導光板の内側で内部反射した後に、光線が導光板２１３から出て結合する出力部２１９ａに導かれる。導光板の内側には小さい複数の光線のみを示し、多数の光ビーム全体が、矢印２２１に示す多くの方向に出ることが理解される。同様に、第２の光源群に属する光源２０５ｂもまた、入力部２１７ｂから導光板２１３に入り、導光板２１３から出て出力部２１９ｂにおいて結合する複数の光線（細い実線に示す）を出す。さらに、図２ｄに示す光源２０５ｃおよび２０５ｄもまた、それぞれ、出力部２１９ｃおよび２１９ｄから出る光ビームを生成する。この結果、第２の光源群２０５により光ビーム間の領域が照らされ得、先行技術の照明器具に見受けられるドット状の外観を回避できる。
【００１９】
出力部２１９は、導光板から出た光線を結合するように構成される。これは例えば、出力部における導光面の粗度を調節し、光線が粗面に当たるときに内部全反射させないことにより、結果として、光を導光板から出して結合させて達成できる。代替的に、導光面２１３は、出力部に当たる光を散乱する物質により処理されてもよい。別の方法として、導光板の内側を移動する光線の入射角が結果として変化するように、下部および上部導光面を互いに対して角度付けてもよい。出力部は、円盤状の導光板の前面全体が１つの均質な照射面として見えるような均質化方法により、導光板から出た光を結合するように構成され得る。これは例えば、光の一部のみが入力部に近接する出力部から出て結合し、一方、光の大部分が、入力部から遠い領域において導光板から出て結合するように、出力部全体の粗度を徐々に変化させることにより達成され得る。使用する導光板および外側での結合は、例えば、テレビ画面および／または携帯電話画面における背景光に関わる業界で周知の技術を利用して実現され得る。示す具体例では導光板は円盤状であるが、任意の形状でもよいことが理解される。
【００２０】
図３ａ〜図３ｄに、本発明に係る照射装置の別の具体例を示す。図３ａは上面図であり、図３ｂは、導光板３１３および集光手段２０９を除いた上面図である。図３ｃおよび図３ｄは、それぞれ、線Ｃ−Ｃおよび線Ｄ−Ｄに沿う断面図である。図２ａ〜図２ｄに示す具体例と同様に、第１の光源群２０３（白い四角で示す）が、光源の上方に配置された集光手段２０９と共にＰＣＢ２０７上に配置される。この配置により、複数の光源ビーム２１１が生成される。この具体例では、図２ａ〜図２ｄに示す例と同様に、ＰＣＢ２０７上に第２の光源群２０５の一部が取り付けられる。光源２０５ａおよび２０５ｂは、それぞれ、入力部２１７ａおよび２１７ｂから導光板３１３に入り、導光板３１３から出て出力部２１９ａおよび２１９ｂにおいて結合する複数の光線（細い実線に示す）を出す。ただし、第２の光源群の別の部分３０５が導光板３１３の円周部に配置され、ＰＣＢ２０７に対して垂直の複数の直立のＰＣＢ３０８に取り付けられる。この結果、導光板３１３の円周壁は入力領域３１７として機能し得る。図３ｄに示すように、光源３０５ｃおよび３０５ｄは、それぞれ、入力部３１７ｃおよび３１７ｄから導光板３１３に入り、導光板３１３から出て出力部３１９ｃおよび３１９ｄにおいて結合する複数の光線（細い実線に示す）を出す。光源の内輪もまた、導光板に光を直接出すように構成され得ることが理解される。これは例えば、中央の集光手段周囲にこれらの光源を配置し、導光板の中心から外側に向かう光を光源に出させることにより実現される。
【００２１】
図４に、図３ａ〜図３ｄに示す具体例に類似するが、ただし、出力部４１７を所定パターンに配置することにより、これらの領域における導光板のみから光が出るように導光板４１３を改良した具体例を示す。この結果、第２の光源群を利用して、光ビーム間に光学的パターンを作り出すことができる。そして、この光学的パターンを利用して、照射装置を見る見物者によって観察され得る照明効果を作り出せる。光源は、その１つの下位群からの光が特定の出力部を照らすように配置され得、照射装置は、下位群を個々に制御するように構成され得る。これにより、例えば、オンオフの切り替え、所定パターンの特定部分の色を変化させることにより、光学的パターンの相違部分を個々に制御できる。このように、所定パターンを、注意を引き付けるいくつかの照明効果を詰めるために用いられ得る動的パターンとして用いることができる。導光板４１３の所定パターンは、例えば、導光板の上面を所定パターンに処理し、光をこれらの領域のみの導光板から出して結合させ、一方、光線を他の領域において内部反射させることにより作り出され得る。１つの円盤状の導光板として一体化するよりもむしろ、（図６ａおよび図６ｂに示すなどの）個々に機能する複数の導光板を用いても同じ効果を実現できる。
【００２２】
図５ａ〜図５ｅに、本発明に係る照射装置の別の実施形態を示す。図５ａは上面図であり、図５ｂは、導光板５１３、集光手段２０９、および拡散領域５１２を除いた上面図である。図５ｃ、図５ｄおよび図５ｅは、それぞれ、線Ｅ−Ｅ、線Ｆ−Ｆおよび線Ｇ−Ｇに沿う断面図である。図３ａ〜図３ｄに示す具体例と同様に、第１の光源群２０３（白い四角で示す）が、光源の上方に配置された集光手段２０９と共にＰＣＢ２０７上に配置される。この配置により、複数の光源ビーム２１１が生成される。図３ａ〜図３ｄに示す例と同様に、第２の光源群２０５（黒い四角で示す）の一部がＰＣＢ２０７上に取り付けられ、一方、第２の光源群の別の部分３０５が、ＰＣＢ２０７に対して垂直の複数の直立のＰＣＢ３０８に配置される。入力部および出力部を備えた複数の導光板５１４（図６ａおよび図６ｂに詳細を示す）がＰＣＢ２０７の上方に配置される。導光板５１４は、入力部において第２の光源群の少なくとも１つからの光を受け入れ、その受け入れた光を出力部５１９に導くように構成される。出力部５１９は、受け入れた光を、少なくとも２つの光源ビーム２１１間の領域から出すように構成される。
【００２３】
この具体例では、照射装置は、ＰＣＢ２０７上に配置された第３の光源群５０４（網目状の四角で示す）、およびＰＣＢ２０７の上方かつ少なくとも２つの光源ビーム間に配置された複数の拡散領域５１２を備える。拡散領域５１４は、第３の群の光源の少なくとも１つからの光を受け入れ、受け入れた光を拡散するように構成される。
【００２４】
図５ｃに示すように、光源２０５ａおよび２０５ｂは、それぞれ、入力部５１７ａおよび５１７ｂから導光板５１４ａおよび５１４ｂに入り、導光板５１４ａおよび５１４ｂから出て出力部５１９ａおよび５１９ｂにおいて結合する複数の光線（細い実線に示す）を出す。図５ｄに示すように、光源３０５ｃおよび３０５ｄは、それぞれ、入力部５１７ｃおよび５１７ｄから導光板５１４ｃおよび５１４ｄに入り、導光板から出て出力部５１９ｃおよび５１９ｄにおいて結合する複数の光線（細い実線に示す）を出す。図５ｅに示すように、光源５０４ａ〜５０４ｄは回折領域５１２ａ〜５１２ｄを照らし、これらの光源から出る光は、矢印５１６ａ〜５１６ｄに示す多くの方向に拡散する。この結果、先行技術において周知の照射装置のドット状の外観が回避され得、加えて、この照射装置を利用して、第２の光源群を制御することにより、グラフィック照明効果を詰めることができる。
【００２５】
拡散領域は、例えば、その固形体に当たる光を拡散するように構成された、透明材から成る１つの単一の固形体として具体化され得る。例えば、固形体を透明ポリマにモールドし、それが光を拡散するようにその表面を処理する。固形体は、集光手段２０９および導光板５１４が配置され得る複数の穴に入るように縮小され得る。
【００２６】
図６ａおよび図６ｂは、それぞれ、図５ａ〜図５ｅに用いられる２種類の導光板を示す。図６ａに示す導光板は、ＰＣＢ２０７の円周部に配置された光源３０５の光の形態を受け入れるように構成された導光板５１４（例えば、図５ａ〜図５ｅに示す導光板５１４ｃおよび５１４ｄ）に相当する。この導光板は、入力部６０２および出力部６０３を備えた透明ロッド６０１から構成される。出力部はロッドの片面に構成され、光がこの面から外側に矢印６０５に示すように出て結合するように処理される。この具体例では、光源３０５は、赤色ダイＲ、緑色ダイＧ、青色ダイＢおよび白色ダイＷを備える４イン１ＬＥＤ光源であり、それ故、付加的な色混合を利用して多くの異なる色を作り出せる。光ロッドはさらに、４ＬＥＤダイによる色の混合に役立つ。図６ｂに示す導光板は、ＰＣＢ２０７上の光源２０５の光の形態を受け入れるように構成された導光板５１４（例えば、図５ａ〜図５ｅに示す導光板５１４ａおよび５１４ｂ）に相当する。この導光板は、入力部から出力部６０３に向かう光を反射するように構成された屈曲部６０６を備える。
【００２７】
図７に、本発明に係る照射装置のブロック図を示す。照射装置は、プロセッサ７０３およびメモリ７０５を含む制御ユニット７０１を備える。第１の光源群２０３および第２の光源群２０５は制御ユニット７０１に接続されており、本発明に従い配置される。プロセッサは制御手段として機能し、第１の光源群２０３および第２の光源群２０５を個々に制御するように構成される。処理手段は、光源の一方の群を制御すること無く、他方の群を制御可能な手段として意図される。制御手段は、例えば、光源の色および／またはその強さを制御し、例えば、ＰＷＭ、ＡＭ、ＦＭ、二値信号などの照明業界で周知の任意の種類の通信信号に応じて構成され得る。光源アレイの第１の群２０３および第２の群２０５は、それ故、互いとは独立して個々に制御され得、２つ別々に、他方の光源の群と独立して処理され得る。各群の個々の光源が、個々の制御信号と共に提供される同一の制御信号によって制御され、かつ／または同一の制御信号を受け入れる各下位群において分類されることが理解される。
【００２８】
一実施形態では、制御手段は、第１の光源群の第１の目標色を示す入力信号に基づいて第１の光源群を制御するように構成される。入力信号は、パラメータを通信可能な任意の信号でもよく、例えば、ＡＮＳＩ  Ｅ１．１１およびＡＮＳＩ  Ｅ１．２０規格により保護されるＲＤＭを含むプロトコルＵＳＩＴＴ  ＤＭＸ５１２、ＵＳＩＴＴ  ＤＭＸ５１２  １９９０、ＵＳＩＴＴ  ＤＭＸ５１２−Ａ、ＤＭＸ−５１２−Ａのうちの１つまたはＷｉｒｅｌｅｓｓ  ＤＭＸに基づき得る。ＡＣＮは、制御ネットワーク用のアーキテクチャを指定する（ＡＮＳＩ  Ｅ１．１７−２００６）。
【００２９】
入力信号は、例えば、ＲＧＢ値、配色表における色座標などの、第１の光源群が生成する光の色を規定する任意のパラメータでもよい第１の目標色を示し得る。制御手段は、第１の目標色を示す入力信号に基づいて第２の光源群を制御するように構成され得る。これにより、第２の光源群は、第１の光源群が生成した色と実質的に同じ色を生成するように構成され得る。ただし、第２の光源群の色が相違するが、所定の色彩設計に従い互いに美観が調和するように、第２のアレイの色を調整することにより色彩設計を完全にすることも可能である。また、入力信号は第２の目標色を示してもよく、第２の光源群の色は第２の目標色パラメータに基づいて制御され得る。
【００３０】
照射装置が、図５ａ〜図５ｅに関連して示す第３の光源群５０４をさらに備え得ることを当業者は理解する。この光源群は、他の２つの光源の群と同じ方法で制御され得る。
【００３１】
光源の第２および第３の群は、独自のＤＭＸ制御を有する背景光として機能し得、色およびその強さの両方が、第１の光源群とは独立して変化し得る。これらは所定の方法により、初期のＬＥＤ色に関連する色およびその強さに制御されてもよいし、対比色または他の色の強さに関連して個々に制御されてもよい。光源のこの調節および制御は、離れた中央制御装置によって行われてもよいし、器具自体が行ってもよい。この結果、光ビーム間の領域は、第２の光源群が出す色と別の色を有し得、新規の照明効果が生み出される。娯楽照明に関わる業界で周知のように、第１の光源群および第２の光源群が個々に制御される場合には、これは動的に見える。
【００３２】
以下の点に留意されたい。
本発明は、マルチチップＬＥＤおよび単色ＬＥＤの両方に適用される。
本発明は、輪郭およびウォッシュ照明器具の両方に適用される。
本発明は、あらゆる光源技術に適用される。
本発明は、見物者に視認される、複数のＬＥＤレンズを備えたＬＥＤ照明器具のドット状の外観を消去または最小化する。
第２の光源群は、器具における新規の追加の効果特徴、および注意を引き付ける策略としての機能の両方として用いられ得るが、より重要には、複数のユニットのセットアップにおいて用いられる場合に、個々の画素として用いられる。それ故、中空ビームおよび照らし表面の両方に利用される。
第２の光源群はまた、エラーまたは他の器具の状態情報の表示にも用いられ得る。
本発明は、単なる正面からだけでなく、他の角度から視認される光および色を生成できる。
周囲に従い反応する、照明器具の相互作用的な部品として、補助的な光源を用いてもよい。
本発明に係る照射装置は、複数のユニットのセットアップ（例えば、大規模行列）において器具を用いる場合に、主要な光源の電源を切るか、明かりを落とすことができる。これにより、照明器具は自動中空ビームから変化させて、きらめくが、まばゆく無い表面を含む図形画素を形成できる。適切な効果を有する発電機制御（例えば、メディアサーバ）は、その後、完全な器具セットアップにおいて、映像内容または単色波、およびパターンを表示できる。
ユーザは、同一の器具において２つの個々の光シーケンスまたはメディアコンテンツを起動できる。例えば、第１の光源群が生成した１つのコンテンツと、第２の光源群が生成した別のコンテンツとを起動できる。
エラーメッセージまたは器具状態は、色、色の組み合わせ、フラッシュ、または補助的な光源による他の効果を通じて通信され得る。
内部または外部センサまたは追跡技術を用いて、補助的な光源は、既定の反応パターン（色、その強さまたは閃光）に従い動作し得る。入力は、人の動作、温度変化、室内照明レベル、湿度などに関連し得る。
【図１ａ】
0005587494.tif 000002
【図１ｂ】
0005587494.tif 000003
【図２ａ】
0005587494.tif 000004
【図２ｂ】
0005587494.tif 000005
【図２ｃ】
0005587494.tif 000006
【図２ｄ】
0005587494.tif 000007
【図３ａ】
0005587494.tif 000008
【図３ｂ】
0005587494.tif 000009
【図３ｃ】
0005587494.tif 000010
【図３ｄ】
0005587494.tif 000011
【図４】
0005587494.tif 000012
【図５ａ】
0005587494.tif 000013
【図５ｂ】
0005587494.tif 000014
【図５ｃ】
0005587494.tif 000015
【図５ｄ】
0005587494.tif 000016
【図５ｅ】
0005587494.tif 000017
【図６ａ】
0005587494.tif 000018
【図６ｂ】
0005587494.tif 000019
【図７】
0005587494.tif 000020